(57)【要約】【課題】情報同士の関連性を掴みやすい管理画面をユーザに提供する。【解決手段】取得部は、宅内に設置される複数の機器を制御するエネルギーマネジメントシステムについての情報を取得する。表示部は、第１の表示領域に、取得部により取得された情報を表示し、第２の表示領域に、宅内における機器の設置場所に機器を表す画像を配置したレイアウト図を表示する。また、表示部は、第１の表示領域に表示される情報の中に、複数の機器のうちの特定の機器についての情報が含まれると判別した場合、第２の表示領域において特定の機器を表す画像を相対的に強調して表示する。【選択図】図９
2015035009.tif 000002
【特許請求の範囲】
【請求項１】
宅内に設置される複数の機器を制御するエネルギーマネジメントシステムであって、
前記エネルギーマネジメントシステムについての情報を取得する取得部と、
第１の表示領域に、前記取得部により取得された情報を表示し、第２の表示領域に、前記宅内における前記機器の設置場所に前記機器を表す画像を配置したレイアウト図を表示する表示部と、
を備え、
前記表示部は、前記第１の表示領域に表示される情報の中に、前記複数の機器のうちの特定の機器についての情報が含まれると判別した場合、前記第２の表示領域において前記特定の機器を表す画像を相対的に強調して表示する、
ことを特徴とするエネルギーマネジメントシステム。
【請求項２】
前記エネルギーマネジメントシステムについての情報には、前記特定の機器の動作状態を示す情報が含まれ、
前記表示部は、前記第１の表示領域に、前記特定の機器の動作状態を示す情報を表示し、前記第２の表示領域に、前記特定の機器を表す画像を強調した前記レイアウト図を表示する、
ことを特徴とする、請求項１に記載のエネルギーマネジメントシステム。
【請求項３】
前記エネルギーマネジメントシステムについての情報には、ユーザによって設定された日時に前記特定の機器に所定の動作をさせるスケジュールが含まれ、
前記表示部は、前記第１の表示領域に、前記スケジュールを表示し、前記第２の表示領域に、前記スケジュールによって設定された動作が行われる前記特定の機器を表す画像を強調した前記レイアウト図を表示する、
ことを特徴とする、請求項１に記載のエネルギーマネジメントシステム。
【請求項４】
前記エネルギーマネジメントシステムについての情報には、前記複数の機器に一括して所定の動作をさせる情報が含まれ、
前記表示部は、前記第１の表示領域に、前記複数の機器に一括して前記所定の動作をさせる指示をユーザから受け付けるボタンを表示し、前記第２の表示領域に、前記所定の動作をさせる前記複数の機器を表す画像を強調した前記レイアウト図を表示する、
ことを特徴とする、請求項１に記載のエネルギーマネジメントシステム。
【請求項５】
前記エネルギーマネジメントシステムについての情報には、前記エネルギーマネジメントシステム全体による総消費電力量が含まれ、
前記表示部は、前記第１の表示領域に、前記エネルギーマネジメントシステム全体による前記総消費電力量を表示し、前記第２の表示領域に、前記総消費電力量への寄与が多い順に所定個数の前記特定の機器を表す画像を強調した前記レイアウト図を表示する、
ことを特徴とする、請求項１に記載のエネルギーマネジメントシステム。
【請求項６】
前記表示部は、前記ユーザによって設定された日時を含む前後所定期間に含まれない日時には、第１の周期で前記第１の表示領域と前記第２の表示領域の表示を更新し、前記ユーザによって設定された日時を含む前後所定期間に含まれる日時には、前記第１の周期よりも短い第２の周期で前記第１の表示領域と前記第２の表示領域への表示を更新する、
ことを特徴とする、請求項３に記載のエネルギーマネジメントシステム。
【請求項７】
前記第１の表示領域の表示を更新させる指示を受け付け、前記第２の表示領域の表示を更新させる指示を受け付ける入力受付部を更に備え、
前記表示部は、前記入力受付部により前記第１の表示領域の表示を更新させる指示が受け付けられると、前記第１の表示領域の表示を更新し、前記入力受付部により前記第２の表示領域の表示を更新させる指示が受け付けられると、前記第２の表示領域の表示を更新する、
ことを特徴とする、請求項１から６のいずれか１項に記載のエネルギーマネジメントシステム。
【請求項８】
宅内に設置される複数の機器を制御するエネルギーマネジメントシステムについての情報を取得する取得部と、
第１の表示領域に、前記取得部により取得された情報を表示し、第２の表示領域に、前記宅内における前記機器の設置場所に前記機器を表す画像を配置したレイアウト図を表示する表示部と、
を備え、
前記表示部は、前記第１の表示領域に表示される情報の中に、前記複数の機器のうちの特定の機器についての情報が含まれると判別した場合、前記第２の表示領域において前記特定の機器を表す画像を相対的に強調して表示する、
ことを特徴とする端末装置。
【請求項９】
宅内に設置される複数の機器を制御するエネルギーマネジメントシステムについての情報を取得する取得ステップと、
第１の表示領域に、前記取得ステップにおいて取得された情報を表示し、第２の表示領域に、前記宅内における前記機器の設置場所に前記機器を表す画像を配置したレイアウト図を表示する表示ステップと、
を備え、
前記表示ステップでは、前記第１の表示領域に表示される情報の中に、前記複数の機器のうちの特定の機器についての情報が含まれると判別した場合、前記第２の表示領域において前記特定の機器を表す画像を相対的に強調して表示する、
ことを特徴とする表示制御方法。
【請求項１０】
コンピュータを、
宅内に設置される複数の機器を制御するエネルギーマネジメントシステムについての情報を取得する取得部、
第１の表示領域に、前記取得部により取得された情報を表示し、第２の表示領域に、前記宅内における前記機器の設置場所に前記機器を表す画像を配置したレイアウト図を表示する表示部、
として機能させ、
前記表示部は、前記第１の表示領域に表示される情報の中に、前記複数の機器のうちの特定の機器についての情報が含まれると判別した場合、前記第２の表示領域において前記特定の機器を表す画像を相対的に強調して表示する、
ことを特徴とするプログラム。
【発明の詳細な説明】
【技術分野】
【０００１】
本発明は、エネルギーマネジメントシステム、端末装置、表示制御方法、及び、プログラムに関する。
【背景技術】
【０００２】
家電機器を通信ネットワークに接続し、コントローラを用いて統合的に管理するＨＥＭＳ（Home Energy Management System）と呼ばれるシステムがある。近年、ユーザが宅内にいなくても宅外からインターネット等を経由して宅内の家電機器を遠隔操作できるＨＥＭＳが知られている。ＨＥＭＳは、ユーザが電力を効率よく使用できるように消費電力量を監視する。
【０００３】
例えば、特許文献１によれば、電気機器が複数のグループに分類され、グループごとに電力管理オブジェクトが用意され、各グループに属する電気機器の消費電力に関する情報が電力管理オブジェクト内に表示される電力管理装置が開示されている。また、各電力管理オブジェクトが、複数のカードをクリップで纏めるかのように、クリップ形状のオブジェクトで纏めて見えるように表示される。
【０００４】
一方で、様々な情報の中からいくつかの情報を抽出してコンピュータ画面上に簡易表示させる、いわゆるガジェットというものがある。ガジェットは、多くの情報をコンパクトに纏めてユーザに提供するために用いられる。
【先行技術文献】
【特許文献】
【０００５】
【特許文献１】特開２０１３−１０６４１４号公報
【発明の概要】
【発明が解決しようとする課題】
【０００６】
ところで、近年のＨＥＭＳは多機能を有しており、ユーザに提供できる情報量が多い。そのため、すべての情報を１つの画面に表示しきれないことが多い。また、１つの画面で提供する情報量が多くなりがちで、ユーザを却って混乱させてしまう。かといって、ユーザに提供する情報を単純に絞り込むと、情報同士の繋がりや全体像が見えなくなるという問題が発生する。
【０００７】
本発明は、上記の事情のもとになされたもので、情報同士の関連性を掴みやすい管理画面をユーザに提供することを目的とする。
【課題を解決するための手段】
【０００８】
上記目的を達成するため、本発明に係るエネルギーマネジメントシステムは、
宅内に設置される複数の機器を制御するエネルギーマネジメントシステムであって、
前記エネルギーマネジメントシステムについての情報を取得する取得部と、
第１の表示領域に、前記取得部により取得された情報を表示し、第２の表示領域に、前記宅内における前記機器の設置場所に前記機器を表す画像を配置したレイアウト図を表示する表示部と、
を備え、
前記表示部は、前記第１の表示領域に表示される情報の中に、前記複数の機器のうちの特定の機器についての情報が含まれると判別した場合、前記第２の表示領域において前記特定の機器を表す画像を相対的に強調して表示する、
ことを特徴とする。
【発明の効果】
【０００９】
情報同士の関連性を掴みやすい管理画面をユーザに提供することができる。
【図面の簡単な説明】
【００１０】
【図１】エネルギーマネジメントシステムの構成を示す図である。
【図２】宅内の部屋の配置と家電機器等の配置の一例を示す図である。
【図３】コントローラの構成を示す図である。
【図４】（ａ）レイアウト定義テーブルの構成例を示す図である。（ｂ）基本情報入力画面の構成例を示す図である。
【図５】（ａ）機器−部屋対応付けテーブルの構成例を示す図である。（ｂ）部屋と機器との対応付けを入力する画面の構成例を示す図である。
【図６】（ａ）部屋−ユーザ対応付けテーブルの構成例を示す図である。（ｂ）部屋とユーザとの対応付けを入力する画面の構成例を示す図である。
【図７】スケジュール表の構成例を示す図である。
【図８】端末装置の構成を示す図である。
【図９】管理画面の構成を示す図である。
【図１０】お知らせガジェットと間取りガジェットとを連携させた表示処理を説明するためのフローチャートである。
【図１１】管理画面の構成を示す図である。
【図１２】スケジュールガジェットと間取りガジェットとを連携させた表示処理を説明するためのフローチャートである。
【図１３】管理画面の構成を示す図である。
【図１４】一括ガジェットと間取りガジェットとを連携させた表示処理を説明するためのフローチャートである。
【図１５】管理画面の構成を示す図である。
【図１６】グラフガジェットと間取りガジェットとを連携させた表示処理を説明するためのフローチャートである。
【図１７】更新タイミングを連携させた表示処理を説明するためのフローチャートである。
【発明を実施するための形態】
【００１１】
（実施形態１）
図１に、本実施形態に係るエネルギーマネジメントシステム１の構成を示す。エネルギーマネジメントシステム１は、宅内（需要家内）に設置される様々な機器及びシステムによって消費される電力量を監視し、また、各機器及びシステムの動作を制御する。
【００１２】
宅内ネットワーク１０には、自立切替盤１０１、空気調和機（以下「空調機」という。いわゆるエアコン。）１０２、換気システム１０３、テレビジョン受像機や照明器具などその他の家電機器１０４、床暖房システム１０５、ＩＨ（Induction Heating）クッキングヒータ１０６、給湯システム１０７が含まれる。
【００１３】
さらに、宅内ネットワーク１０には、太陽光などを用いた発電システム１０８、蓄電池を備える蓄電システム１０９、随時切り離し可能であり蓄電池を備える電気自動車１１０、コントローラ１２０が含まれる。
【００１４】
エネルギーマネジメントシステム１の宅内電力線（図示せず）は、自立切替盤１０１を介して、電力会社の商用電源と接続される。
【００１５】
宅内ネットワーク１０に含まれる上記各装置及びシステムは、宅内電力線に接続され、商用電源と発電システム１０８と蓄電システム１０９と電気自動車１１０とのうち少なくともいずれか１つから電力の供給を受ける。
【００１６】
また、これらの各機器もしくはシステムは、それぞれ、図示しない無線通信装置を備えており、無線によりコントローラ１２０と通信が可能である。ただし、通信の一部又は全部は有線により行われてもよい。
【００１７】
更に、エネルギーマネジメントシステム１内の宅内電力線の複数箇所には、図示しない電力計測装置が設置されており、空調機１０２、換気システム１０３、家電機器１０４、床暖房システム１０５、ＩＨクッキングヒータ１０６、給湯システム１０７、発電システム１０８、蓄電システム１０９、電気自動車１１０により消費される電力量等を逐次検出することができる。計測結果はコントローラ１２０に送信される。
【００１８】
宅内ネットワーク１０は、サーバ３０と端末装置４０と通信ネットワーク５０とから構成される宅外ネットワーク２０に繋がっている。通信ネットワーク５０は、典型的にはインターネットである。ユーザは、宅内ネットワーク１０内にある各機器及びシステムを、宅外ネットワーク２０にある端末装置４０を用いた遠隔操作により操作することが可能である。
【００１９】
サーバ３０は、端末装置４０とコントローラ１２０との間を中継する。端末装置４０は、サーバ３０にコマンド等を送信し、サーバ３０はコントローラ１２０に受信したコマンド等を送信する。なお、以下の説明において、簡略化のため、端末装置４０がコントローラ１２０にコマンドを送信する、といったように、サーバ３０に関する記載を省略して説明する。
【００２０】
端末装置４０は、宅内ネットワーク１０と宅外ネットワーク２０に無線通信によりアクセス可能である。例えば、端末装置４０は、携帯電話機、パーソナルコンピュータ（ＰＣ）、タブレット型ＰＣなどである。ユーザは、宅内はもちろんのこと、宅外にも端末装置４０を持ち歩き、端末装置４０を使ってエネルギーマネジメントシステム１内の各機器及びシステムを遠隔操作することができる。
【００２１】
エネルギーマネジメントシステム１の動作モードには、大きく分けて２種類の運転モードがある。一つは、自立切替盤１０１によって宅内電力線が商用電源と繋げられ、商用電源から電力の供給を受ける連携モードである。連携モードでは、発電システム１０８によって発電された電力を商用電源へ供給する（売電する）ことも可能である。
【００２２】
もう一つは、自立切替盤１０１によって宅内電力線が商用電源から切り離され、商用電源から電力の供給を受けずに、発電システム１０８によって発電された電力、及び／又は、蓄電システム１０９に蓄えられた電力、及び／又は、電気自動車１１０に蓄えられた電力、を宅内に供給する自立モードである。
【００２３】
運転モードの切り替えは、自立切替盤１０１によって検知される、商用電源からの電力の供給状態を示す検知結果に基づいて、自立切替盤１０１によって行われる。典型的には、商用電源が停電すると自立モードに設定され、商用電源が停電していないと連携モードに設定される。
【００２４】
図１に示す各機器及びシステムは、宅内の任意の場所に設置可能である。図２に、宅内の部屋の配置と、宅内に設置される家電機器１０４等の配置とを表すレイアウト図の一例を示す。本実施形態の宅内には、７つの空間、すなわち、クローゼットＡ、書斎Ｂ、キッチン及びリビング（以下、「リビング」と略す。）Ｃ、子供部屋Ｄ、和室Ｅ、寝室Ｆ、バスルームＧがある。それぞれの空間には、コントローラ１２０によって制御可能な様々な機器又はシステムが設置される。
【００２５】
クローゼットＡには、例えば、換気システム１０３Ａが設置される。
【００２６】
書斎Ｂには、例えば、空調機１０２Ｂ、家電機器１０４Ｂ（テレビジョン受像機）、床暖房システム１０５Ｂが設置される。
【００２７】
リビングＣには、例えば、空調機１０２Ｃ、家電機器１０４Ｃ−１（冷蔵庫）、家電機器１０４Ｃ−２（テレビジョン受像機）、床暖房システム１０５Ｃ、ＩＨクッキングヒータ（ＩＨＣＨ）１０６Ｃが設置される。
【００２８】
子供部屋Ｄには、例えば、空調機１０２Ｄ、家電機器１０４Ｄ（テレビジョン受像機）、床暖房システム１０５Ｄが設置される。
【００２９】
和室Ｅには、例えば、空調機１０２Ｅが設置される。
【００３０】
寝室Ｆには、例えば、空調機１０２Ｆが設置される。
【００３１】
バスルームＧには、例えば、換気システム１０３Ｇ、給湯システム１０７Ｇが設置される。
【００３２】
各部屋Ａ〜Ｇの中に記した各機器及びシステムは、それぞれ、コントローラ１２０との間で通信し、コントローラ１２０による制御が可能である。
【００３３】
なお、図２に示した間取り、各部屋に設置される機器及びシステムの種類、機器及びシステムの数、機器及びシステムの設置場所は一例に過ぎず、本発明によって限定されない。
【００３４】
次に、コントローラ１２０の構成について、図３を用いて説明する。コントローラ１２０は、エネルギーマネジメントシステム１の全体を監視し、制御する。
【００３５】
入力部３０１は、ボタン、キーボード、タッチパネル等の入力デバイスを備える。入力部３０１は、ユーザからの指示入力を受け付ける。
【００３６】
表示部３０２は、ＬＣＤ（Liquid Crystal Display）等の表示デバイスを備え、エネルギーマネジメントシステム１の状態を表示したりユーザが様々な指示を入力したりする画面（以下、「管理画面」という。）を表示デバイスに表示する。詳細は後述する。
【００３７】
記憶部３０３は、不揮発性メモリを備える。記憶部３０３は、制御部３０５により実行されるプログラムのほか、図４（ａ）に示す宅内の部屋のレイアウトを定義するレイアウト定義テーブル４００と、図５（ａ）に示すコントローラ１２０による制御対象の各機器又はシステムの宅内における設置場所を定義する機器−部屋対応付けテーブル５００と、図６（ａ）に示す各機器又はシステムとユーザとの対応付けを定義する部屋−ユーザ対応付けテーブル６００と、図７に示すスケジュール表７００とを記憶する。詳細は後述する。
【００３８】
通信部３０４は、ＮＩＣ（Network Interface Card）を備え、エネルギーマネジメントシステム１内の各装置又はシステムと無線で通信する。
【００３９】
制御部３０５は、ＣＰＵ（Central Processing Unit）、オペレーティングシステムなどのプログラムを記憶するＲＯＭ（Read Only Memory）、ワークエリアとなるＲＡＭ（Random Access Memory）等を備える。制御部３０５は、記憶部３０３に記憶されているプログラムを実行し、コントローラ１２０の全体を制御する。
【００４０】
コントローラ１２０として、一般的なサーバ、メインフレーム、パーソナルコンピュータ等を採用することができる。
【００４１】
図４（ａ）に、２階建ての一戸建て住宅におけるレイアウト定義テーブル４００の構成例を示す。レイアウト定義テーブル４００には、部屋の識別番号と、部屋がある階数と、部屋の名称と、部屋の広さとが対応付けて記憶される。制御部３０５は、ユーザからの入力に基づいて、レイアウト定義テーブル４００を適宜変更することができる。
【００４２】
図４（ｂ）に、エネルギーマネジメントシステム１における基本情報入力画面の構成例を示す。基本情報入力画面は、例えばエネルギーマネジメントシステム１のセットアップ時に液晶ディスプレイに表示される。ユーザは、この基本情報入力画面を用いて、家の間取りや家族構成などの基本情報を入力する。制御部３０５は、ユーザからの入力内容に基づいて、レイアウト定義テーブル４００を作成し、あるいは更新する。
【００４３】
図５（ａ）に、機器−部屋対応付けテーブル５００の構成例を示す。機器−部屋対応付けテーブル５００には、部屋の識別番号と対応付けて、その部屋の中に設置される機器の識別番号と、その機器の名称と、が記憶される。機器の定格電力などの特性値が更に記憶されてもよい。
【００４４】
例えば、ユーザは、新たに機器を購入して部屋の中に設置すると、コントローラ１２０を操作して機器−部屋対応付けテーブル５００の編集画面を表示させ、機器を設置した部屋や機器の名称等を入力する。制御部３０５は、ユーザからの入力に基づいて、機器−部屋対応付けテーブル５００を適宜変更する。
【００４５】
図５（ｂ）に、部屋と機器との対応付けをユーザが入力する編集画面の構成例を示す。ユーザは、機器を表すアイコン５０１（本図中では５０１Ａ，５０１Ｂ，５０１Ｃの３つ）を、設置した部屋を表す枠内にドラッグして移動させる。制御部３０５は、この編集画面を用いたユーザからの入力内容に基づいて、機器−部屋対応付けテーブル５００を生成し、あるいは更新する。
【００４６】
コントローラ１２０は、宅外ネットワーク２０上にあるサーバから情報を取得して機器−部屋対応付けテーブル５００を更新してもよい。コントローラ１２０が機器の型番やシリアルナンバーの入力をユーザから受け付けてサーバに送信し、サーバが型番やシリアルナンバーに対応する機器の定格電力などの特性値を所定のデータベースから取得してコントローラ１２０へ送信し、コントローラ１２０がサーバから取得した特性値を用いて機器−部屋対応付けテーブル５００を更新してもよい。
【００４７】
制御部３０５は、レイアウト定義テーブル４００と、機器−部屋対応付けテーブル５００と、建物の外見や機器等を表す所定のテンプレート画像データとに基づいて、図２に示すような建物全体の概略図面を作成し、ディスプレイに表示することができる。概略図面は現実を忠実に再現する厳密なものでなくてもよく、機器あるいはシステムが設置されている部屋をユーザが視認できるものであればよい。
【００４８】
例えば、図５（ｂ）の編集画面において、ユーザが空調機を表すアイコン５０１Ａをリビングの表示領域の中にドラッグすると、制御部３０５は、リビングの表示領域の中に、空調機を表す所定の画像を配置する。機器あるいはシステムを表す画像は、ユーザが実際に設置した機器あるいはシステムの外見を忠実に再現するものでなくてもよい。また、画像を配置する位置は、ユーザが実際に設置した場所を忠実に再現するものでなくてもよい。なお、制御部３０５が概略図面を表す画像データを作成する手法は本発明によって限定されない。
【００４９】
図６（ａ）に、部屋−ユーザ対応付けテーブル６００の構成例を示す。部屋−ユーザ対応付けテーブル６００には、部屋の識別番号と対応付けて、その部屋を主に使用する人を示す情報が記憶される。例えば、識別番号"１０３"のリビングには、「父」「母」「長男」「次男」の４人が対応付けられる。
【００５０】
図６（ｂ）に、部屋とユーザとの対応付けを入力する画面の構成例を示す。ユーザは、ユーザを表すアイコン６０１（本図中では６０１Ａ，６０１Ｂ，６０１Ｃの３つ）を、設置した部屋を表す枠内にドラッグして移動させ、部屋を主に使用するユーザを指定する。制御部３０５は、この画面を用いた入力内容に基づいて、部屋−ユーザ対応付けテーブル６００を生成し、あるいは更新する。
【００５１】
機器−部屋対応付けテーブル５００と部屋−ユーザ対応付けテーブル６００とを組み合わせると、部屋の識別番号が共通キーであることから、機器とユーザとの対応関係が得られる。
【００５２】
例えば、図５（ａ）の機器−部屋対応付けテーブル５００によれば、識別番号“１０２”の書斎Ｂには、識別番号“０００１”の空調機１０２Ｂと、識別番号“０００２”の家電機器１０４Ｂ（テレビジョン受像機；ＴＶ）と、識別番号“０００３”の床暖房システム１０５Ｂとが対応付けられている。また、図６（ａ）の部屋−ユーザ対応付けテーブル６００によれば、識別番号“１０２”の書斎には“父”が対応付けられている。従って、制御部３０５は、識別番号“０００１”の空調機１０２Ｂと、識別番号“０００２”の家電機器１０４Ｂと、識別番号“０００３”の床暖房システム１０５Ｂの３つが“父”に対応付けられると判別する。同様にして、制御部３０５は、すべての機器もしくはシステムについて、対応付けられるユーザを判別することができる。
【００５３】
図７に、スケジュール表７００の構成例を示す。スケジュール表７００は、コントローラ１２０の入力部３０１もしくは端末装置４０を用いてユーザにより入力され、記憶部３０３に記憶される。１つのスケジュールには、ユーザと、予定の内容と、予定開始日時と、予定終了日時と、その予定を繰り返し設定するか否かを示すフラグと、が対応付けられる。予定の繰り返し設定の仕方は、毎日、平日のみ、休日のみなど、任意である。
【００５４】
コントローラ１２０の制御部３０５は、スケジュール表７００に格納されているスケジュールに基づいて、各機器及びシステムを制御することができる。
【００５５】
例えば、図７のスケジュール表７００によれば、2013年4月23日7時30分から2013年4月23日19時30分までの間、“父”には仕事で家を留守にする予定が入っている。そこで、制御部３０５は、この予定開始日時に、“父”のみに対応付けられる部屋“書斎（識別番号１０２）”の中に設置されている空調機１０２Ｂの冷房がつけっぱなしになっている場合には、空調機１０２Ｂの冷房を切るように制御する。
【００５６】
次に、端末装置４０の構成について、図８を用いて説明する。本実施形態の端末装置４０は、無線通信機能が付いたタブレット型ＰＣである。
【００５７】
無線通信部８０１は、ＮＩＣとアンテナを備え、コントローラ１２０と通信する。
【００５８】
音声処理部８０２は、ユーザの発声音等をマイクロフォン８２２によって集音し、Ａ／Ｄコンバータにより音声データに変換する。また、音声処理部８０２は、Ｄ／Ａコンバータにより音声データを復調して音声をスピーカ８２１から出力する。
【００５９】
画像処理部８０３は、画像演算プロセッサ（図示せず）によって画像データを加工処理した後、フレームバッファに記録する。フレームバッファに記録された画像情報は、垂直同期などの所定の同期タイミングで画像信号に変換され、ＬＣＤ８２３に出力される。
【００６０】
外部Ｉ／Ｆ（Interface）８０４は、着脱可能な外部メモリと接続してデータの入出力を行う。外部Ｉ／Ｆ８０４は、ＵＳＢ（Universal Serial Bus）等により端末装置４０と外部機器とを接続して外部機器との間でデータの入出力を行うことができるインタフェースを備える。
【００６１】
入力部８０５は、タッチパネル８２４から操作信号を受け付け、制御部８０７に入力する。制御部８０７は、入力された操作信号に基づいて操作内容を決定する。ユーザは、タッチパネル８２４を用いて、任意の文字データを入力したり、コントローラ１２０へのコマンドを入力したりすることができる。
【００６２】
記憶部８０６は、ハードディスクあるいは不揮発性フラッシュメモリを備え、端末装置４０全体の制御に必要なオペレーティングシステム（ＯＳ）やプログラム等を記憶する。
【００６３】
制御部８０７は、ＣＰＵ、ＲＡＭ、ＲＯＭを備え、端末装置４０全体を制御する。
【００６４】
ユーザは、端末装置４０を宅内で自由に持ち歩いて、エネルギーマネジメントシステム１を遠隔から操作することができる。また、ユーザは、端末装置４０を宅外に持ち出して、エネルギーマネジメントシステム１を遠隔から操作することもできる。
【００６５】
次に、エネルギーマネジメントシステム１における管理画面について、図９等を用いて説明する。
【００６６】
管理画面は、コントローラ１２０が備える表示デバイス、もしくは、端末装置４０が備えるＬＣＤに表示される。ユーザは、管理画面によって、エネルギーマネジメントシステム１の現在の状態を閲覧したり、各機器又はシステムへの遠隔操作の指示を入力したりすることができる。
【００６７】
管理画面には、機能ごとに分けられた複数の表示領域がある。これらの表示領域はそれぞれ、ガジェット（もしくはウィジェット）と呼ばれる。
【００６８】
本実施形態の管理画面には、ユーザへのお知らせが表示されるお知らせガジェット９１０と、エネルギーマネジメントシステム１内の複数の機器又はシステムに一括して動作を指示するボタンを有する一括ガジェット９２０と、消費電力と発電量と売電量をグラフで表示するグラフガジェット９３０と、カレンダーを表示するカレンダーガジェット９４０と、ユーザによって登録されたスケジュールを表示するスケジュールガジェット９５０と、機器又はシステムの設置場所を宅内の間取りと共に表示する間取りガジェット９６０と、がある。
【００６９】
お知らせガジェット９１０には、エネルギーマネジメントシステム１に発生したイベント、機器又はシステムの動作履歴、ユーザへのお知らせなどが時系列順に表示される。コントローラ１２０の制御部３０５は、イベントの発生等に応じてお知らせを表すデータを生成し、記憶部３０３に記憶する。
【００７０】
制御部３０５は、管理画面を表示する旨の要求をユーザから受け付けると、生成したお知らせを時系列順に並べてお知らせガジェット９１０内に表示する。
【００７１】
あるいは、端末装置４０の制御部８０７は、管理画面を表示する旨の要求をユーザから受け付けると、コントローラ１２０によって生成されたお知らせをコントローラ１２０から取得し、取得したお知らせを時系列順に並べてお知らせガジェット９１０内に表示する。
【００７２】
制御部３０５は、生成したお知らせごとに確認ボタン９１１を表示し、ユーザにお知らせを読むことを促してもよい。例えば、制御部３０５は、確認ボタン９１１が押されていない未読のお知らせを第１の所定色で表示し、確認ボタン９１１が押されると、確認ボタンを消去すると共に、読まれたお知らせを第１の所定色とは異なる第２の所定色で表示してもよい。
【００７３】
お知らせガジェット９１０内に表示するお知らせの件数は任意である。お知らせが多数存在する場合には、制御部３０５は、時系列順に最も新しい所定件数分のお知らせのみ表示したり、スクロールバーを配置して複数のお知らせをスクロール表示させたりしてもよい。
【００７４】
コントローラ１２０によって生成されたお知らせが複数ある場合には、コントローラ１２０の制御部３０５又は端末装置４０の制御部８０７は、それら複数のお知らせの中から、生成された日時が時系列順に最も新しい所定件数分（もしくは所定件数以下）のお知らせを抽出して、お知らせガジェット９１０内に表示する。
【００７５】
お知らせガジェット９１０の表示領域内の任意の位置（ただし確認ボタン９１１の表示領域を除く）がユーザによってタッチされると、コントローラ１２０の制御部３０５又は端末装置４０の制御部８０７は、それまでに生成されたお知らせの一覧を表示する詳細画面に遷移させる。
【００７６】
一括ガジェット９２０には、複数の機器又はシステムに一括して動作を指示するための一括操作ボタンが含まれる。例えば、「外出」ボタン９２１には、宅内にあるすべての照明、すべての空調機、すべてのテレビジョン受像機の電源をＯＦＦにするコマンドが予め対応付けられており、この「外出」ボタン９２１がユーザによって押されると、制御部３０５は、宅内にあるすべての照明、すべての空調機、すべてのテレビジョン受像機の電源をＯＦＦにさせる。
【００７７】
あるいは、端末装置４０の制御部８０７は、「外出」ボタン９２１がユーザによって押されると、宅内にあるすべての照明、すべての空調機、すべてのテレビジョン受像機の電源をＯＦＦにさせるコマンドをコントローラ１２０に送信する。コマンドを受信したコントローラ１２０の制御部３０５は、宅内にあるすべての照明、すべての空調機、すべてのテレビジョン受像機の電源をＯＦＦにさせる。
【００７８】
一括ガジェット９２０内に配置される一括操作ボタンに対応付けられるコマンドは任意である。ユーザは、一括操作ボタンに対応付けられるコマンドを自由に変更できる。ユーザは、間取り、機器又はシステムの配置、自身の都合等に応じて、任意に、一括操作ボタンに対応付けられるコマンドを変更、削除、追加することができる。
【００７９】
一括操作が可能なパターン数が一括ガジェット９２０内に表示可能なボタン数を超える場合には、コントローラ１２０の制御部３０５又は端末装置４０の制御部８０７は、一括操作のパターン数を一括ガジェット９２０内に表示可能な数以下に絞り込み、一括操作ボタンを表示する。例えば、ユーザによって設定された一括操作のパターン数が１０個であるものの、一括ガジェット９２０内に表示可能なボタン数が６個であって全部を表示しきれない場合、コントローラ１２０の制御部３０５又は端末装置４０の制御部８０７は、ユーザによる使用頻度が高い上位６個の一括操作ボタンを表示する。
【００８０】
グラフガジェット９３０には、エネルギーマネジメントシステム１全体による発電量と消費電力量と売電量がグラフ化して表示される。制御部３０５は、発電システム１０８による発電量と、蓄電システム１０９による蓄電量と、電気自動車１１０による蓄電量と、電力計測装置によって計測された消費電力量をリアルタイムで取得する。そして、制御部３０５は、管理画面を表示する旨の要求をユーザから受け付けると、取得したエネルギーマネジメントシステム１全体による発電量と消費電力量と売電量をグラフ化してグラフガジェット９３０に表示する。
【００８１】
あるいは、端末装置４０の制御部８０７は、管理画面を表示する旨の要求をユーザから受け付けると、エネルギーマネジメントシステム１全体による発電量と消費電力量と売電量をコントローラ１２０から取得し、グラフガジェット９３０に表示する。
【００８２】
グラフガジェット９３０の表示領域内の任意の位置がユーザによってタッチされると、コントローラ１２０の制御部３０５又は端末装置４０の制御部８０７は、より詳細な、例えば直近数日間における発電量と消費電力量と売電量の推移などを表示する画面に遷移させる。
【００８３】
制御部３０５は、エネルギーマネジメントシステム１全体による発電量と消費電力量と売電量を定期的にあるいはリアルタイムで取得し、記憶部３０３に履歴として記憶する。例えば、制御部３０５は、直近の過去３ヶ月分といったように予め決まった期間の履歴を記憶部３０３に記憶する。コントローラ１２０の制御部３０５又は端末装置４０の制御部８０７は、それらのすべての履歴の中から、保存日時が現在日時に最も近い最新の履歴を抽出して、グラフガジェット９３０に表示する。
【００８４】
カレンダーガジェット９４０には、コントローラ１２０によって計時された日付と時刻（システム日時）が表示される。制御部３０５は、管理画面を表示する旨の要求をユーザから受け付けると、計時した日時をカレンダーガジェット９４０に表示する。
【００８５】
あるいは、端末装置４０の制御部８０７は、管理画面を表示する旨の要求をユーザから受け付けると、コントローラ１２０によって計時された日時を取得し、取得した日時をカレンダーガジェット９４０に表示する。
【００８６】
カレンダーガジェット９４０の表示領域がユーザによってタッチされると、コントローラ１２０の制御部３０５又は端末装置４０の制御部８０７は、システム日時をユーザが変更できる画面に遷移させる。
【００８７】
また、コントローラ１２０の制御部３０５又は端末装置４０の制御部８０７は、カレンダーガジェット９４０内に、ユーザが任意に設定した日時にアラーム音を鳴らす設定を行うボタン９４１を配置してもよい。そして、ボタン９４１がＯＮになっていて且つ日時が指定されている場合、コントローラ１２０の制御部３０５は、その設定された日時になるとアラーム音を出力してユーザに報知してもよい。コントローラ１２０の制御部３０５の代わりに、端末装置４０の制御部８０７が、その設定された日時になるとアラーム音を出力して端末装置４０のユーザに報知してもよい。
【００８８】
スケジュールガジェット９５０には、図７に示すスケジュール表７００に登録されたスケジュールが表示される。制御部３０５は、管理画面を表示する旨の要求をユーザから受け付けると、スケジュール表７００に登録されたスケジュールのうち、スケジュールに設定された日時が現在日時に近い順に所定個数のスケジュールを、スケジュールガジェット９５０に表示する。
【００８９】
あるいは、端末装置４０の制御部８０７は、管理画面を表示する旨の要求をユーザから受け付けると、スケジュール表７００に登録されたスケジュールのうち、スケジュールに設定された日時が現在日時に近い順に所定個数のスケジュールをコントローラ１２０から取得し、取得したスケジュールをスケジュールガジェット９５０に表示する。
【００９０】
スケジュール表７００に登録されたスケジュールが複数ある場合には、コントローラ１２０の制御部３０５又は端末装置４０の制御部８０７は、それら複数のスケジュールの中から、スケジュール日時が時系列順に最も新しい所定件数分（もしくは所定件数以下）のスケジュールを抽出して、スケジュールガジェット９５０内に表示する。
【００９１】
間取りガジェット９６０には、コントローラ１２０によって制御可能な機器又はシステムを表す画像がおおよその設置場所に配置された間取り図（レイアウト図）が表示される。コントローラ１２０の制御部３０５又は端末装置４０の制御部８０７は、管理画面を表示する旨の要求をユーザから受け付けると、宅内の間取り図に機器又はシステムを表す画像を配置して、間取りガジェット９６０内に表示する。
【００９２】
機器又はシステムを表す画像は、その機器又はシステムに遠隔制御コマンドを送信するボタンになっており、ユーザによってタッチされると、コントローラ１２０の制御部３０５は、遠隔制御の内容（例えば空調機であれば、電源のオン・オフ、設定温度の変更など）を入力する画面に遷移させ、遠隔制御コマンドをユーザから受け付ける。コントローラ１２０の制御部３０５は、入力された遠隔制御コマンドに従って、タッチされた画像に対応する機器又はシステムを制御する。
【００９３】
あるいは、端末装置４０の制御部８０７は、遠隔制御コマンドをユーザから受け付け、受け付けた遠隔制御コマンドをコントローラ１２０に送信する。遠隔制御コマンドを受信したコントローラ１２０の制御部３０５は、受信した遠隔制御コマンドに従って、機器又はシステムを制御する。
【００９４】
コントローラ１２０の制御部３０５又は端末装置４０の制御部８０７は、機器又はシステムの動作状態、機器又はシステムに発生したイベント、ユーザへのお知らせ等の付属情報がある場合には、その機器又はシステムに対応付けて付属情報を間取りガジェット９６０内に表示してもよい。
【００９５】
部屋数が多くて間取り全体を間取りガジェット９６０に表示しきれない場合、あるいは、間取り全体を表示しようとすると間取り図が小さくなってユーザが見えづらいと想定される場合、コントローラ１２０の制御部３０５又は端末装置４０の制御部８０７は、宅内のすべての部屋の中から一部分の部屋を抽出し、間取り全体のうちの一部分を表示してもよい。また、エネルギーマネジメントシステム１に含まれる機器又はシステムの総数が多くて間取りガジェット９６０に全部を表示しきれない場合には、コントローラ１２０の制御部３０５又は端末装置４０の制御部８０７は、すべての機器又はシステムの中から一部分を抽出し、すべての機器又はシステムのうちの一部分の機器又はシステムを表す画像を間取りガジェット９６０に表示してもよい。
【００９６】
間取りガジェット９６０の表示領域内であって、いずれの装置又はシステムの画像も表示されていない領域がユーザによってタッチされると、コントローラ１２０の制御部３０５又は端末装置４０の制御部８０７は、より詳細な間取りを表す画面に遷移させる。例えば、コントローラ１２０の制御部３０５又は端末装置４０の制御部８０７は、ユーザによって選択された部屋を拡大したり、宅内を眺める仮想視点の位置と仮想視線の向きをユーザからの指示に基づいて変更できたりする画面に遷移させる。
【００９７】
各ガジェット内には、それぞれの表示内容を最新のものに更新させる更新ボタン９１２，９２２，９３２，９４２，９５２，９６２が配置される。更新ボタンが押されると、コントローラ１２０の制御部３０５は、対応するガジェットの表示内容を直ちに更新して表示する。あるいは、端末装置４０の制御部８０７は、更新ボタンが押されると、対応するガジェットの表示内容をコントローラ１２０から再取得し、表示する。
【００９８】
すべてのガジェット内の表示内容を最新のものに更新させる更新ボタン９８２が押されると、コントローラ１２０の制御部３０５は、すべてのガジェットの表示内容を直ちに更新して表示する。あるいは、端末装置４０の制御部８０７は、更新ボタン９８２が押されると、すべてのガジェットの表示内容をコントローラ１２０から再取得し、表示する。
【００９９】
コントローラ１２０の制御部３０５は、いずれかの更新ボタンが押されたか否かにかかわらず、所定時間ごとに各ガジェット内の表示内容を最新のものに自動的に更新して表示してもよい。同様に、端末装置４０の制御部８０７は、いずれかの更新ボタンが押されたか否かにかかわらず、所定時間ごとに各ガジェットの表示内容をコントローラ１２０から再取得し、表示してもよい。
【０１００】
コントローラ１２０の制御部３０５又は端末装置４０の制御部８０７は、各ガジェット内の表示を最後に更新した日時を、各ガジェット内もしくは各ガジェットの近傍に表示してもよい。
【０１０１】
コントローラ１２０の制御部３０５又は端末装置４０の制御部８０７は、各ガジェット内の表示を次に更新するまでの残り時間を各ガジェット内もしくは各ガジェットの近傍に表示してもよい。つまり、次に更新されるまで“カウントダウン”されてもよい。
【０１０２】
以上のように構成される管理画面によれば、ユーザは、エネルギーマネジメントシステム１が有する様々な機能の概要や動作状態などの情報を一度に閲覧することができる。例えば、もし、消費電力量と間取りとが全く別の画面に表示され、両方同時に閲覧できないとすると、ユーザは、消費電力量と間取りとを同時に見比べることができず、消費電力量を表す画面と間取りを表す画面とを頻繁に行き来しなくてはならなくなるおそれがある。しかし、本実施形態によれば、ユーザは、グラフガジェット９３０に表示される消費電力量と、間取りガジェット９６０に表示される間取りとを見比べながら、例えば消費電力量が多いので空調機の電源をオフにするといった操作を、１つの管理画面の中で行うことができる。エネルギーマネジメントシステム１は、より操作し易い管理画面をユーザに提供することができる。
【０１０３】
ところで、各ガジェットの表示は、互いに全く独立して行われてもよいが、本実施形態では、各ガジェット同士の表示が連動することがある。以下、ガジェット間の表示の連動例を示す。
【０１０４】
（１）お知らせガジェット９１０と間取りガジェット９６０との連動例
お知らせガジェット９１０に、ある特定の機器又はシステムに関するお知らせが表示される場合、コントローラ１２０の制御部３０５又は端末装置４０の制御部８０７は、間取りガジェット９６０において、そのお知らせに対応する機器又はシステムを表す画像を強調して表示する。
【０１０５】
図１０に、お知らせガジェット９１０と間取りガジェット９６０とを連動させて管理画面を表示する処理の流れを示す。ここでは、端末装置４０によって管理画面が表示されるケースを説明する。
【０１０６】
まず、制御部８０７は、コントローラ１２０から、ユーザへのお知らせを表すデータを取得する（ステップＳ１００１）。
【０１０７】
制御部８０７は、取得したお知らせをお知らせガジェット９１０内に表示する（ステップＳ１００２）。
【０１０８】
制御部８０７は、取得したお知らせが、特定の一部の機器又はシステムに関するものであるか否かを判別する（ステップＳ１００３）。
【０１０９】
取得したお知らせが、特定の一部の機器又はシステムに関するものではない場合（ステップＳ１００３；ＮＯ）、制御部８０７は、間取りガジェット９６０内のすべての機器又はシステムを表す画像を、通常の態様で表示する（ステップＳ１００４）。例えば、取得したお知らせが、「○○さんがログインしました」のように宅内の機器又はシステムとは直接関係ない場合や、「現在の総消費電力量は○○キロワットです」のようにすべての機器又はシステムに関するものである場合、すべての機器又はシステムを表す画像は強調されずに通常の態様で表示される。
【０１１０】
一方、取得したお知らせが、特定の一部の機器又はシステムに関するものである場合（ステップＳ１００３；ＹＥＳ）、制御部８０７は、お知らせに対応する機器又はシステムを判別し（ステップＳ１００５）、間取りガジェット９６０において、判別した機器又はシステムを表す画像を強調表示する（ステップＳ１００６）。制御部８０７は、お知らせに対応する機器又はシステムではない他の機器又はシステムを表す画像を通常の態様で表示する。
【０１１１】
具体的には、端末装置４０の制御部８０７は、お知らせに対応する機器又はシステムを表す画像を、他の画像より相対的に大きく表示する。
【０１１２】
制御部８０７は、お知らせに対応する機器又はシステムを表す画像を点滅して表示してもよい。
【０１１３】
制御部８０７は、お知らせに対応する機器又はシステムを表す画像に対応付けて、お知らせガジェット９１０内に表示したメッセージと同内容もしくは概略内容、あるいはお知らせがある旨の告知を間取りガジェット９６０内に表示してもよい。
【０１１４】
なお、お知らせが複数ある場合には、制御部８０７は、最も新しく生成されたお知らせが特定の一部の機器又はシステムに関するものであるか否かを判別する。
【０１１５】
制御部８０７は、お知らせガジェット９１０の更新ボタン９１２、又は、管理画面全体を更新する更新ボタン９８２が押されたか否かを判別する（ステップＳ１００７）。
【０１１６】
更新ボタン９１２又は更新ボタン９８２が押された場合（ステップＳ１００７；ＹＥＳ）、ステップＳ１００１に戻り、制御部８０７は、お知らせガジェット９１０又は管理画面全体の表示を更新する。
【０１１７】
更新ボタン９１０又は更新ボタン９８２が押されない場合（ステップＳ１００７；ＮＯ）、制御部８０７は、お知らせガジェット９１０を前回更新してから所定時間が経過したか否かを判別する（ステップＳ１００８）。
【０１１８】
所定時間が経過した場合（ステップＳ１００８；ＹＥＳ）、ステップＳ１００１に戻り、制御部８０７は、お知らせガジェット９１０の表示を更新する。所定時間が経過していない場合（ステップＳ１００８；ＮＯ）、ステップＳ１００７に戻る。
【０１１９】
このようにお知らせガジェット９１０の表示と間取りガジェット９６０の表示が連動することにより、ユーザへの訴求効果が高まる。また、ユーザは、どの機器又はシステムに関するお知らせなのかを直感的に把握できる。
【０１２０】
例えば、「リビングのエアコンの設定値が異常です」というメッセージがある場合、お知らせガジェット９１０にこのメッセージが表示されると共に、間取りガジェット９６０内の空調機１０２Ｃを表す画像が強調して表示される。管理画面を閲覧したユーザは、メッセージの対象機器がリビングの空調機１０２Ｃであることを一目で把握できる。そして、ユーザは、管理画面の間取りガジェット９６０内の空調機１０２Ｃを表す画像をタッチすることにより、空調機１０２Ｃの現在の動作状態や設定値を確認でき、空調機１０２Ｃを適切に遠隔操作することができる。
【０１２１】
（２）スケジュールガジェット９５０と間取りガジェット９６０との連動例
スケジュール表７００に、スケジュールと対応付けて機器又はシステムを動作させる指示が記憶されている場合、コントローラ１２０の制御部３０５又は端末装置４０の制御部８０７は、図１１に示すように、間取りガジェット９６０において、そのスケジュールの対象ユーザに対応付けられている機器又はシステムを表す画像を強調して表示する。
【０１２２】
図１２に、スケジュールガジェット９５０と間取りガジェット９６０とを連動させて管理画面を表示する処理の流れを示す。ここでは、端末装置４０によって管理画面が表示されるケースを説明する。
【０１２３】
まず、制御部８０７は、コントローラ１２０から、スケジュール表７００に登録されたスケジュールを表すデータを取得する（ステップＳ１２０１）。
【０１２４】
制御部８０７は、取得したスケジュールをスケジュールガジェット９５０内に表示する（ステップＳ１２０２）。
【０１２５】
制御部８０７は、スケジュール表７００に基づいて、スケジュールの対象ユーザを判別する（ステップＳ１２０３）。
【０１２６】
制御部８０７は、部屋−ユーザ対応付けテーブル６００に基づいて、判別した対象ユーザに対応付けられている部屋を判別し、更に、機器−部屋対応付けテーブル５００に基づいて、判別した部屋に対応付けられている機器又はシステムを判別する。つまり、制御部８０７は、スケジュールの対象ユーザに対応する機器又はシステムを判別する（ステップＳ１２０４）。
【０１２７】
そして、制御部８０７は、間取りガジェット９６０において、判別した機器又はシステムを表す画像を強調表示する（ステップＳ１２０５）。制御部８０７は、他の機器又はシステムを表す画像を通常の態様で表示する。
【０１２８】
具体的には、制御部８０７は、スケジュールに対応する機器又はシステムを表す画像を、他の画像より相対的に大きく表示する。
【０１２９】
制御部８０７は、スケジュールの対象ユーザに対応する機器又はシステムを表す画像を点滅して表示してもよい。
【０１３０】
制御部８０７は、スケジュールの対象ユーザに対応する機器又はシステムを表す画像に対応付けて、スケジュールガジェット９５０内に表示したスケジュールと同内容もしくは概略内容、あるいはスケジュールが設定されている旨の告知を表示してもよい。
【０１３１】
制御部８０７は、スケジュールガジェット９５０の更新ボタン９５２、又は、管理画面全体を更新する更新ボタン９８２が押されたか否かを判別する（ステップＳ１２０６）。
【０１３２】
更新ボタン９５２又は更新ボタン９８２が押された場合（ステップＳ１２０６；ＹＥＳ）、ステップＳ１２０１に戻り、制御部８０７は、スケジュールガジェット９５０又は管理画面全体の表示を更新する。
【０１３３】
更新ボタン９５２又は更新ボタン９８２が押されない場合（ステップＳ１２０６；ＮＯ）、制御部８０７は、スケジュールガジェット９５０を前回更新してから所定時間が経過したか否かを判別する（ステップＳ１２０７）。
【０１３４】
所定時間が経過した場合（ステップＳ１２０７；ＹＥＳ）、ステップＳ１２０１に戻り、制御部８０７は、スケジュールガジェット９５０の表示を更新する。所定時間が経過していない場合（ステップＳ１２０７；ＮＯ）、ステップＳ１２０６に戻る。
【０１３５】
スケジュールガジェット９５０の表示と間取りガジェット９６０の表示が連動することにより、ユーザへの訴求効果が高まる。また、ユーザは、どのスケジュールにどの機器又はシステムが対応付けられるのかを直感的に把握できる。
【０１３６】
例えば、スケジュール表７００に「９時にお父さんが出張に出かける」というスケジュール１１００が組まれていて、部屋−ユーザ対応付けテーブル６００によってお父さんに「書斎」が対応付けられている場合、コントローラ１２０の制御部３０５又は端末装置４０の制御部８０７は、更に機器−部屋対応付けテーブル５００を参照して、「書斎」に対応付けられている機器又はシステム（図１１では空調機１０２Ｂとテレビジョン受像機１０４Ｂと床暖房システム１０５Ｂ）を特定し、特定した機器又はシステム１０２Ｂ，１０４Ｂ，１０５Ｂを表す各画像を強調して表示する。これにより、管理画面を閲覧したユーザは、「９時にスケジュールが組まれており、且つ、９時になったときに特定の機器又はシステムによって所定の動作が行われる（例えば電源がオフになる）」ことを、スケジュール日時が来る前に容易に一目で把握することができる。
【０１３７】
（３）一括ガジェット９２０と間取りガジェット９６０との連動例
コントローラ１２０の制御部３０５又は端末装置４０の制御部８０７は、一括操作を指示するボタンが押されると、図１３に示すように、間取りガジェット９６０において、押されたボタンに対応付けられている一括操作対象の機器又はシステムを表す画像を強調して表示する。
【０１３８】
図１４に、一括ガジェット９２０と間取りガジェット９６０とを連動させて管理画面を表示する処理の流れを示す。ここでは、端末装置４０によって管理画面が表示されるケースを説明する。
【０１３９】
まず、制御部８０７は、一括操作ボタンがユーザによって１回押されたか否かを判別する（ステップＳ１４０１）。
【０１４０】
一括操作ボタンがユーザによって１回も押されない場合（ステップＳ１４０１；ＮＯ）、制御部８０７は、ステップＳ１４０６の処理に移る。
【０１４１】
一括操作ボタンがユーザによって１回押された場合（ステップＳ１４０１；ＹＥＳ）、制御部８０７は、押された一括操作ボタンに対応付けられている機器又はシステムを判別する（ステップＳ１４０２）。
【０１４２】
制御部８０７は、間取りガジェット９６０において、ステップＳ１４０２で判別した機器又はシステムを表す画像を強調表示する（ステップＳ１４０３）。制御部８０７は、他の機器又はシステムを表す画像を通常の態様で表示する。
【０１４３】
具体的には、制御部８０７は、一括操作を指示するボタンに対応付けられている機器又はシステムを表す画像を、他の画像より相対的に大きく表示する。
【０１４４】
制御部８０７は、一括操作を指示するボタンに対応付けられている機器又はシステムを表す画像を点滅して表示してもよい。
【０１４５】
制御部８０７は、一括操作を指示するボタンに対応付けられている機器又はシステムを表す画像に対応付けて、一括操作による指示内容あるいは一括操作の設定対象である旨の告知を表示してもよい。
【０１４６】
更に、制御部８０７は、一括操作ボタンがユーザによって再び１回押されたか否かを判別する（ステップＳ１４０４）。
【０１４７】
一括操作ボタンがユーザによって再び１回押された場合（ステップＳ１４０４；ＹＥＳ）、制御部８０７は、押された一括操作ボタンに対応付けられているコマンドをコントローラ１２０に送信し、コントローラ１２０に一括操作を実行させ（ステップＳ１４０５）、ステップＳ１４０１に戻る。
【０１４８】
制御部８０７は、一括ガジェット９２０の更新ボタン９２２、又は、管理画面全体を更新する更新ボタン９８２が押されたか否かを判別する（ステップＳ１４０６）。
【０１４９】
更新ボタン９２２又は更新ボタン９８２が押された場合（ステップＳ１４０６；ＹＥＳ）、ステップＳ１４０１に戻り、制御部８０７は、一括ガジェット９２０又は管理画面全体の表示を更新する。
【０１５０】
更新ボタン９２２又は更新ボタン９８２が押されない場合（ステップＳ１４０６；ＮＯ）、制御部８０７は、一括ガジェット９２０を前回更新してから所定時間が経過したか否かを判別する（ステップＳ１４０７）。
【０１５１】
所定時間が経過した場合（ステップＳ１４０７；ＹＥＳ）、ステップＳ１４０１に戻り、制御部８０７は、一括ガジェット９２０の表示を更新する。所定時間が経過していない場合（ステップＳ１４０７；ＮＯ）、ステップＳ１４０６に戻る。
【０１５２】
一括ガジェット９２０の表示と間取りガジェット９６０の表示が連動することにより、ユーザへの訴求効果が高まる。また、ユーザは、一括操作を指示するボタンにどの機器又はシステムが対応付けられているのか、どの機器又はシステムを一括操作するのかを直感的に把握できる。
【０１５３】
例えば、一括操作ボタン１３００に「バスルームの給湯システム１０７Ｇに湯船への給湯を開始させ、リビングの空調機１０２Ｃの冷房をつける」というコマンドが対応付けられている場合、コントローラ１２０の制御部３０５又は端末装置４０の制御部８０７は、一括操作ボタン１３００が押されると、一括操作ボタン１３００による指示対象の機器又はシステム（図１３では給湯システム１０７Ｇと空調機１０２Ｃ）を特定し、特定した機器又はシステム１０７Ｇ，１０２Ｃを表す各画像を強調して表示する。これにより、管理画面を閲覧したユーザは、一括操作ボタン１３００には給湯システム１０７Ｇと空調機１０２Ｃに一括して指示するコマンドが対応付けられていることを、一括操作ボタン１３００を押す前に容易に一目で把握することができる。
【０１５４】
なお、コントローラ１２０の制御部３０５又は端末装置４０の制御部８０７は、一括操作ボタン１３００が１回押された（シングルタップされた）場合には、一括ガジェット９２０と間取りガジェット９６０とを上記のように連携して表示し、一括操作ボタン１３００が２回続けて押された（ダブルタップされた）場合には、一括操作ボタン１３００に対応付けられているコマンドを実行する。
【０１５５】
（４）グラフガジェット９３０と間取りガジェット９６０との連動例
コントローラ１２０の制御部３０５又は端末装置４０の制御部８０７は、エネルギーマネジメントシステム１全体の消費電力量が所定値よりも多くなった場合、図１５に示すように、間取りガジェット９６０において、個々の消費電力量が相対的に多い機器又はシステムを表す画像を強調して表示する。
【０１５６】
図１６に、グラフガジェット９３０と間取りガジェット９６０とを連動させて管理画面を表示する処理の流れを示す。ここでは、端末装置４０によって管理画面が表示されるケースを説明する。
【０１５７】
まず、制御部８０７は、発電システム１０８による発電量と、エネルギーマネジメントシステム１全体の総消費電力量、発電量、売電量を取得する（ステップＳ１６０１）。
【０１５８】
制御部８０７は、取得した総消費電力量が所定値以上か否かを判別する（ステップＳ１６０２）。
【０１５９】
取得した総消費電力量が所定値未満の場合（ステップＳ１６０２；ＮＯ）、制御部８０７はステップＳ１６０５の処理に移る。一方、取得した総消費電力量が所定値以上の場合（ステップＳ１６０２；ＹＥＳ）、制御部８０７は、コントローラ１２０によって制御されるすべての機器又はシステムのうち、消費電力量が多い機器又はシステムを所定個数判別する（ステップＳ１６０３）。つまり、総消費電力量への寄与が多い順に所定個数の機器又はシステムが判別される。
【０１６０】
制御部８０７は、判別した機器又はシステムを表す画像を強調表示する（ステップＳ１６０４）。制御部８０７は、他の機器又はシステムを表す画像を通常の態様で表示する。
【０１６１】
具体的には、制御部８０７は、消費電力量が多い順に所定個数の機器又はシステムを表す画像を、他の画像より相対的に大きく表示する。
【０１６２】
制御部８０７は、消費電力量が多い順に所定個数の機器又はシステムを表す画像を点滅して表示してもよい。
【０１６３】
制御部８０７は、総消費電力量が所定値よりも多くなった場合ではなく、消費電力量が発電量のうち所定の割合以上に達している場合や、単位時間当たりの総消費電力量が所定値よりも多い場合に、個々の消費電力量が多い機器又はシステムを表す画像を強調して表示してもよい。
【０１６４】
また、制御部８０７は、消費電力量が多い順に所定個数の機器又はシステムを表す画像を強調して表示する代わりに、消費電力量が所定値以上の機器又はシステムを表す画像を強調して表示してもよい。
【０１６５】
上記の所定個数、すなわち強調して表示される機器又はシステムを表す画像の数は、任意である。所定個数は、ユーザ又は制御部３０５によって予め設定される。
【０１６６】
制御部８０７は、グラフガジェット９３０の更新ボタン９３２、又は、管理画面全体を更新する更新ボタン９８２が押されたか否かを判別する（ステップＳ１６０５）。
【０１６７】
更新ボタン９３２又は更新ボタン９８２が押された場合（ステップＳ１６０５；ＹＥＳ）、ステップＳ１６０１に戻り、制御部８０７は、グラフガジェット９３０又は管理画面全体の表示を更新する。
【０１６８】
更新ボタン９３２又は更新ボタン９８２が押されない場合（ステップＳ１６０５；ＮＯ）、制御部８０７は、グラフガジェット９３０を前回更新してから所定時間が経過したか否かを判別する（ステップＳ１６０６）。
【０１６９】
所定時間が経過した場合（ステップＳ１６０６；ＹＥＳ）、ステップＳ１６０１に戻り、制御部８０７は、グラフガジェット９３０の表示を更新する。所定時間が経過していない場合（ステップＳ１６０６；ＮＯ）、ステップＳ１６０５に戻る。
【０１７０】
グラフガジェット９３０の表示と間取りガジェット９６０の表示が連動することにより、ユーザへの訴求効果が高まる。また、ユーザは、エネルギーマネジメントシステム１全体の消費電力量が多いことが分かるだけでなく、どの機器又はシステムの消費電力量が多いのかを直感的に把握できる。
【０１７１】
例えば、総消費電力量が発電システム１０８による発電量の９０％以上に達しているときにユーザに電気の使いすぎを警告したい場合、コントローラ１２０の制御部３０５又は端末装置４０の制御部８０７は、総消費電力量が発電量の９０％以上に達すると、消費電力量が相対的に多い機器又はシステムを表す画像（図１５では空調機１０２Ｂ，１０２Ｃ，１０２Ｄ，１０２Ｅの４つ）を、他の画像より相対的に大きく表示する。これにより、管理画面を閲覧したユーザは、電気を使いすぎていることを容易に把握することができ、且つ、総消費電力量を下げるにはどの機器又はシステムの使用を控えれば効果的なのかを一目で把握することができる。
【０１７２】
なお、コントローラ１２０の制御部３０５又は端末装置４０の制御部８０７は、総消費電力量にかかわらず、常に、総消費電力量への寄与が大きい所定個数の機器又はシステムを表す画像を強調して表示してもよい。
【０１７３】
本実施形態によれば、エネルギーマネジメントシステム１は、各ガジェット内の表示を連動させることにより、情報同士の関連性を掴みやすい管理画面をユーザに提供することができる。ユーザは、１つの管理画面から様々な情報を同時に取得でき、１つの管理画面から様々な指示を入力することができ、しかも情報同士の繋がりを容易に把握することができる。
【０１７４】
上記の管理処理のそれぞれにおいて、端末装置４０によって管理画面が表示されるケースを説明したが、コントローラ１２０によって管理画面が表示されるケースも同様の処理が行われる。
【０１７５】
（実施形態２）
次に、実施形態２を説明する。本実施形態では、ガジェットの自動更新タイミングが連動する。
【０１７６】
図１７に、各ガジェットの更新タイミングを連動させて管理画面を表示する処理の流れを示す。ここでは、端末装置４０によって管理画面が表示されるケースを説明する。
【０１７７】
まず、制御部８０７は、ガジェット９１０，９２０，９３０，９４０，９５０，９６０を含む管理画面を表示する（ステップＳ１７０１）。
【０１７８】
制御部８０７は、現在日時が、スケジュール表７００に登録されているスケジュール期間の前後に設定される所定期間内か否かを判別する（ステップＳ１７０２）。
【０１７９】
所定期間は、スケジュールの実行日時よりも第１の所定時間だけ前から、スケジュールの実行日時の第２の所定時間だけ後まで、と予め決められる。第１の所定時間と第２の所定時間は任意である。例えば、第１の所定時間を「５分」、第２の所定時間を「１０分」と定義し、あるスケジュールの実行日時が「１２時００分」であったとすると、所定期間は、「１１時５５分から１２時１０分まで」となる。
【０１８０】
現在日時が上記の所定期間内ではない場合（ステップＳ１７０２；ＮＯ）、制御部８０７は、更新周期を第１の周期に設定し（ステップＳ１７０３）、タイマの計時を開始する。このタイマは、管理画面の更新タイミングが到来したか否かの判別に用いられる。
【０１８１】
現在日時が上記の所定期間内である場合（ステップＳ１７０２；ＹＥＳ）、制御部８０７は、更新周期を第２の周期に設定し（ステップＳ１７０４）、タイマの計時を開始する。
【０１８２】
第２の周期は、第１の周期よりも短い。つまり、現在日時がスケジュールの実行日時近くになると、管理画面の更新頻度が高まる。
【０１８３】
制御部８０７は、各ガジェットの更新ボタン９１２，９２２，９３２，９４２，９５２，９６２、又は、管理画面全体を更新する更新ボタン９８２が押されたか否かを判別する（ステップＳ１７０５）。
【０１８４】
更新ボタン９１２，９２２，９３２，９４２，９５２，９６２と更新ボタン９８２のいずれかが押された場合（ステップＳ１７０５；ＹＥＳ）、ステップＳ１７０１に戻り、制御部８０７は対応するガジェット又は管理画面全体の表示を更新する。
【０１８５】
更新ボタン９１２，９２２，９３２，９４２，９５２，９６２と更新ボタン９８２のいずれもが押されない場合（ステップＳ１７０５；ＮＯ）、制御部８０７は、管理画面全体を前回更新してから所定時間が経過したか否かを判別する（ステップＳ１７０６）。
【０１８６】
所定時間が経過した場合（ステップＳ１７０６；ＹＥＳ）、ステップＳ１７０１に戻り、制御部８０７は、管理画面の表示を更新する。所定時間が経過していない場合（ステップＳ１７０６；ＮＯ）、ステップＳ１７０５に戻る。
【０１８７】
なお、制御部８０７は、各ガジェットの更新周期を異ならせてもよいし、統一してもよい。
【０１８８】
また、制御部８０７は、登録されたスケジュールによって実行される処理に影響されやすいガジェット、例えばお知らせガジェット９１０とグラフガジェット９３０と間取りガジェット９６０の更新周期のみ、変更するようにしてもよい。
【０１８９】
本実施形態によれば、スケジュールに合わせて更新タイミングが変化するので、スケジューリングされた処理による影響や処理の結果をユーザがすぐに知ることが容易になり、管理画面の表示のリアルタイム性が増す。
【０１９０】
本発明は、上述した実施形態に限定されず、種々の変形及び応用が可能である。また、上述した実施形態の各構成要素を自由に組み合わせることも可能である。
【０１９１】
上記のエネルギーマネジメントシステム１の全部又は一部としてコンピュータを動作させるためのプログラムを、メモリカード、ＣＤ−ＲＯＭ、ＤＶＤ、ＭＯ（Magneto Optical disk）などのコンピュータが読み取り可能な記録媒体に格納して配布し、これを別のコンピュータにインストールし、上述の手段として動作させ、あるいは、上述の工程を実行させてもよい。
【０１９２】
さらに、インターネット上のサーバ装置が有するディスク装置等にプログラムを格納しておき、例えば、搬送波に重畳させて、コンピュータにダウンロード等するものとしてもよい。
【０１９３】
以上のように、上記各実施形態によれば、情報同士の関連性を掴みやすい管理画面をユーザに提供することができる。
【符号の説明】
【０１９４】
１  エネルギーマネジメントシステム、１０  宅内ネットワーク、２０  宅外ネットワーク、３０  サーバ、４０  端末装置、５０  通信ネットワーク、１０１  自立切替盤、１０２  空調機、１０３  換気システム、１０４  家電機器、１０５  床暖房システム、１０６  ＩＨクッキングヒータ、１０７  給湯システム、１０８  発電システム、１０９  蓄電システム、１１０  電気自動車、１２０  コントローラ、３０１  入力部、３０２  表示部、３０３  記憶部、３０４  通信部、３０５  制御部、４００  レイアウト定義テーブル、５００  機器−部屋対応付けテーブル、６００  部屋−ユーザ対応付けテーブル、７００  スケジュール表、８０１  無線通信部、８０２  音声処理部、８０３  画像処理部、８０４  外部Ｉ／Ｆ、８０５  入力部、８０６  記憶部、８０７  制御部、８２１  スピーカ、８２２  マイクロフォン、８２３  ＬＣＤ、８２４  タッチパネル、９１０  お知らせガジェット、９２０  一括ガジェット、９３０  グラフガジェット、９４０  カレンダーガジェット、９５０  スケジュールガジェット、９６０  間取りガジェット
【図１】
2015035009.tif 000003
【図２】
2015035009.tif 000004
【図３】
2015035009.tif 000005
【図４】
2015035009.tif 000006
【図５】
2015035009.tif 000007
【図６】
2015035009.tif 000008
【図７】
2015035009.tif 000009
【図８】
2015035009.tif 000010
【図９】
2015035009.tif 000011
【図１０】
2015035009.tif 000012
【図１１】
2015035009.tif 000013
【図１２】
2015035009.tif 000014
【図１３】
2015035009.tif 000015
【図１４】
2015035009.tif 000016
【図１５】
2015035009.tif 000017
【図１６】
2015035009.tif 000018
【図１７】
2015035009.tif 000019